(57)【要約】【課題】  複数台のワゴンを整然と接近乃至当接させることができると共に、各ワゴンに載せられたパソコンや各人が携帯しているPDAなどの電子機器用の電源ラインや情報ラインを、コンセントやターミナルなどに各ラインを混乱させることなく整然と接続することを可能とし、更には、筆記業務などを行うスペースも確保できる回診用ワゴンのターミナル設備を提供すること。【解決手段】  通信情報用と電源用の各配線を取出し可能に収納でき自立可能に形成した所要高さを有する配線コア体Cwと、パソコン等の載置天板12，13を備えて前記通信情報線や電源線に接続されるノート型パソコン等が載置され、前記配線コア体Cwに接近乃至当接させて集合すると共に、個々に離散して移動できる複数台の回診用ワゴンWhとから構成したこと。【選択図】  図11
2006115919.tif 000002
【特許請求の範囲】
【請求項１】
通信情報用と電源用の各配線を取出し可能に収納でき自立可能に形成した所要高さを有する配線コア体と、パソコン等の載置天板を備えて前記通信情報線や電源線に接続されるノート型パソコン等が載置され、前記配線コア体に接近乃至当接させて集合すると共に、個々に離散して移動できる複数台の回診用ワゴンとから構成したことを特徴とする回診用ワゴンのターミナル設備。
【請求項２】
配線コア体は、内部が配線などを収容できるダクト状をなす横長尺に形成すると共に、具備する天板の高さを集合，離散するワゴンの天板と略同じに形成した請求項１の回診用ワゴンのターミナル設備。
【請求項３】
配線コア体には、当該コア体の長さ方向略中央部に小天板を配設すると共に、配線コア体の長さ方向と交叉した向きに前記小天板を支持する支脚を設けた請求項１又は２の回診用ワゴンのターミナル設備。
【請求項４】
回診用ワゴンは、その天板の外周辺に載置されるパソコン等の滑落防止用の突部を形成した請求項１〜３のいずれかの回診用ワゴンのターミナル設備。
【請求項５】
回診用ワゴンには、天板上に載置するパソコンの配線受け，棚板，ファイル収納部が設けられていると共に、着脱式のトレーを備えた請求項１〜４のいずれかの回診用ワゴンのターミナル設備。
【発明の詳細な説明】
【技術分野】
【０００１】
本発明は、病院などで看護師などが回診時などに携行するワゴンの複数台を集合し、各ワゴンに塔載したパソコン（パーソナルコンピュータ、以下、同じ）や看護師が携帯しているPDAなどの電子機器を集約的に取扱うことができるようにした病院での回診用ワゴンのターミナル設備に関する。
【背景技術】
【０００２】
一般に入院病棟を有する病院においては、ナースステーションなどと称される看護師の集合室があり、大き目のテーブルを中心に複数人の看護師が集合し、回診データ等の整理や業務引継ぎなど、看護士が係る病院内での様々な業務を行う場所、或は、看護師の待機場所などとして使用されている。
【０００３】
一方、看護師は入院患者の回診や体温などのデータ採取などの際には、必要な器具や書類などを塔載したワゴンを携行して移動するが、最近では、カルテの電子データ化、或は、採取データの電子データ化に伴い、ワゴンにノート型パソコンを積んだり、PDAなどの電子機器を携行して回診などを行うようになった。
【０００４】
このように回診やデータ採取などにパソコンやPDAなどの電子機器が使用されると、ナースステーションに戻ってワゴンに載せたパソコンやPDAなどの電子機器と、例えば病院内LANで結ばれたサーバコンピュータとの間でデータのやり取りなどが行われるが、従来型のナースステーションに設置されている大形のナース用テーブルの周囲に複数台のワゴンが接合的に着くと、この状態がナースステーションの室内を大きく占有してしまい、人の出入りや他の作業などの支障になるという問題が派生している。
【０００５】
また、上記パソコンやPDA等の電子機器は、携帯型であるため電源の電池をナースステーションに戻ったとき充電する必要があるが、各パソコンやPDAなどと夫々のＡ／Ｄコンバータ付き充電器などの機器が夫々のワゴンの天板上に載せられているとその上での筆記作業などの支障になるほか、充電用のコード（電源ライン）や情報用のケーブル（情報ライン）が各ワゴンとナース用テーブルの周囲に乱雑に拡がってしまい、見映えが優れない上に、コードやケーブル同士が混線し易く、次のワゴンの移動を円滑，迅速に始められないなどの問題がある。
【発明の開示】
【発明が解決しようとする課題】
【０００６】
そこで本発明では、複数台のワゴンを整然と接近乃至当接させることができると共に、各ワゴンに載せられたパソコンや各人が携帯しているPDAなどの電子機器用の電源ラインや情報ラインを、コンセントやターミナルなどに各ラインを混乱させることなく整然と接続することを可能とし、更には、筆記業務などを行うスペースも確保できる回診用ワゴンのターミナル設備を提供することを課題とする。
【課題を解決するための手段】
【０００７】
上記課題を解決することを目的としてなされた本発明ワゴンターミナル設備の構成は、通信情報用と電源用の各配線を取出し可能に収納でき自立可能に形成した所要高さを有する配線コア体と、パソコン等の載置天板を備えて前記通信情報線や電源線に接続されるノート型パソコン等が載置され、前記配線コア体に接近乃至当接させて集合すると共に、個々に離散して移動できる複数台の回診用ワゴンとから構成したことを特徴とするものである。
【０００８】
本発明における配線コア体は、内部が配線などを収容できるダクト状をなす横長尺に形成すると共に、当該コア体の上面の高さ（天板を備えたものでは当該天板の高さ）を集合，離散するワゴンの天板と略同じに形成することが望ましい。配線コア体がその上部に天板を有する場合、その天板はワゴン天板と略同高の場合と、ワゴン天板の高さより少し高い場合とがある。また、高さの異なる二種の天板を設けることもある。配線コア体の天板とワゴン天板との高さが略同高であると、配線コア体に集合した複数台のワゴンの天板と配線コア体の天板によって略同面の一つの天板が形成されたようになるので、天板全体が従来のナーステーブルにおける広い面積の天板と同様に広く利用できる。
【０００９】
配線コア体において、ワゴン天板より高さが高い天板を設けた配線コア体の当該天板は、配線コア体の長さ方向略中央部に小天板として配設すると共に、配線コア体の長さ方向と交叉した向き、好ましくは直交した向きにこの小天板を支持する支持脚を設け、配線コア体の自立性を補完する。このような態様で支持脚を設けると、回診用ワゴンを配線コア体に集合，離散させるとき、支持脚がワゴンの集合，離散の邪魔になり難い。また、ワゴン天板より高い位置の小天板の下に、配線コア体と直交する向きで支持脚があると、その小天板の存在によって前記の設置態様での支持脚が存在することも容易に知覚でき、従って、ワゴンの出入れの際に支持脚に足をとられることも殆んどない。
【００１０】
一方、上記配線コア体に対して集合，離散する回診用ワゴンは、天板の外周辺に載置されるパソコン等の滑落防止用の突部を形成する。また、前記ワゴンは天板上に載置するパソコンの配線受け，棚板，ファイル収納部が設けられていると共に、着脱式のトレーを備えている。
【発明の効果】
【００１１】
本発明では、通信情報用と電源用の各配線を取出し可能に収納でき自立可能に形成した所要高さを有する配線コア体と、パソコン等の載置天板を備えて前記通信情報線や電源線に接続されるノート型パソコン等が載置され、前記配線コア体に接近乃至当接させて集合すると共に、個々に離散して移動できる複数台の回診用ワゴンとにより当該回診用ワゴンのターミナル設備を構成したので、複数台のワゴンが同時にスペース効率よく集合することができ、従って、ワゴンの集合状態で大きな占有面積にはならない利点がある。また、配線コア体は自立タイプであるから、その一部に天板を設けて従来タイプのナーステーブルとしての機能も併せて持たせることができ、この点でもスペース効率がよい。
【発明を実施するための最良の形態】
【００１２】
次に、本発明ワゴンターミナル設備の実施の形態例について、図を参照して説明する。図１は本発明ワゴンターミナル設備における配線コア体の一例の平面図、図２は図１の配線コア体の正面図、図３は図１，図２の配線コア体の側面図、図４は本発明における配線コア体の別例の平面図、図５は図４の配線コア体の正面図、図６は本発明における配線コア体の他の例の平面図、図７は図６の配線コア体の正面図、図８は本発明における回診用ワゴンの一例の側面図、図９は図８のワゴンの平面図、図９は図８のワゴンの平面図、図10は図８，図９のワゴンの断面図、図11は図６，図７の配線コア体に図８〜図10の回診用ワゴンが４台集合した状態の概略図を示す本発明ワゴンターミナル設備の一例の平面図、図12は図11の状態における３台のワゴンが配線コア体から離れて行く状態の概略を示す平面図である。
【００１３】
図１〜図３において、１は断面が大略凵状の溝乃至ダクト状をなし、内部に配線やターミナルなどの接続器などを収容できる長尺の、例えば２ｍ程度乃至はそれ以上のダクト部材、２，３は前記ダクト部材１の左右端に設けた、ここでは、前後２本を一組とする脚部材で、２本の脚部材２及び／又は３の間は、カバー４を取付けて床から立上げた配線をダクト部材１の溝部に導入するための立上げ配線の収容スペースに形成されている。ダクト部材１の左右において前後で１対の脚部材２，３によりダクト部材１は自立可能である。
【００１４】
５はダクト部材１の外面にその長さ方向に沿って略水平に形成した係止用溝で、後に述べる第二脚部材６，７がその取付ブラケット6a，7aを前記溝５に係止させて取付けることにより取付けられている。
【００１５】
第二脚部材６，７は、ダクト部材１の中間部に、当該ダクト部材１の長さ方向に直交する向きで取付けられることにより、このダクト部材１の自立性をより完璧なものに補完する。また、この脚部材６，７は、その上端側が、ダクト部材１の上面より少し高くなる長さの部材を用い、当該脚部材６，７の上端部に受座8a，8bを介して小径の、ここでは一例として500mmφ前後の円形の小天板８を取付けている。8cはこの天板８の中央に明けた配線取出し可能な穴である。上記のように、小天板８をダクト部材１と一体に支持する脚部材６，７は、回診用ワゴンを配線コア体に集合，離散させるとき、ワゴンの移動の邪魔になり難い。また、ワゴン天板より高い小天板の下に脚部材６，７が配線コア体Wcに直交する向きで設けられているので、その小天板の存在によって脚部材６，７の存在を容易に認識でき、従って、ワゴンの出入れの際に脚部材６，７に足をとられることも殆んどない。
【００１６】
９，10はダクト部材１における溝部の開口面に、開閉自在に配設した蓋材で、両蓋材９，10の対向部は、配線の引出しなどに利用するスリット11が形成されるように両蓋材９，10の前後幅が整えられており、以上により本発明における配線コア体Cwの一例を構成する。
【００１７】
図４，図５は本発明における配線コア体Cwの第二例で、この例の配線コア体Cwは、図１〜図３により説明した第一例の配線コア体Cwと次の点で構成が異なっている。なお、図４，図５において、図１〜図３と同一部材は同一符号で示しているので、その説明は略す。
【００１８】
図４，図５の配線コア体Cwにおいては、ダクト部材１に蓋部材９，10を設けず、その蓋部材９，10に代えて小天板８の左右に長方形の天板12，13を設けた。この天板12，13は、図示した例では小天板８の直径よりも少し小さ目の前後幅を有しており、係止用溝５に支持させて取付けた天板12，13の夫々の支持ブラケット12aと13aによって、ダクト部材１に取付けられている。各支持ブラケット12aと13aは、各天板12と13をそれらの下面の４箇所で支持するため、４個使用されている。
【００１９】
上記２枚の天板12と13は、それらの中央部に、コンセントやコネクタなどの複数の接続器を、山形乃至屋根型をなす斜面に列設した形態の接続器ブロック14，15が設けられており、各接続器ブロック14，15の接続器は、ダクト部材１の溝に収容される各配線（電源線や情報線など）に接続されている。以上により本発明における配線コア体Cwの第二例を構成する。
【００２０】
図６，図７は本発明における配線コア体Cwの第三例を示す図で、この例の配線コア体Cwは、図４，図５の配線コア体Cwにおける天板13に代え、一例として直径１m〜1.5m程度の円形の天板16を取付けている。図６，図７において、図１〜図５と同一符号は同一部材を示しているので、説明は略す。この天板16は天板13用の４個の支持ブラケット13aを利用して支持すると共に、天板16の右半側の下面に３本の補助脚部材16aを設けてこの配線コア体Cwの安定自立性を確保している。
【００２１】
図８〜図10は、本発明ターミナル設備を構成する回診用ワゴンWhの一例を示したものである。このワゴンWhは、平面から見て正方形に近い矩形状をなすワゴンフレーム17の下部４隅に、図10に例示するように、ブレーキ，ストッパ付きのキャスタ18を有し、フレーム17の内部に、上方からトレー19、２枚の棚板20、書類などを出入れし易くするため床面を前方下り傾斜面にしたラック棚21を備えている。トレー19はトレー受け19aに支持されてこのワゴンに出入れ自在であり、トレー受け19aの内奥端部には配線受け22が設けられている。このワゴンWhの上端面は、図９に例示するように、ノート型パソコンPCの載置天板23が取付けられ、この天板23の上面の外周縁にはパソコンPCの滑落防止用の棧23aが、この例では平面から見て略┐状をなすパターンで、当該天板23の２つの辺の縁に設けられている。従って、天板23の上に置いたパソコンPCを操作する側に位置するその天板23の縁には、棧23aは設けられない。パソコンの操作性を損なわないためである。因みに、棧23aを設けない天板23の辺は、図９において、操作ハンドル24の側と天板23のハンドル24から見て左側（図９の下方）である。
【００２２】
以上のように構成される配線コア体Cwと回診用ワゴンWhは、病院内のナースステーションのような部屋において、回診用ワゴンWhのターミナル設備として配置される。図11がその概要の一例を示す平面図である。
【００２３】
即ち、図11では、図６，図７で説明した配線コア体Cwの天板12の前後に、４台のワゴンWhが当接配置され、その天板23の上に置かれたノート型パソコンやPDA（いずれも図示せず）などを接続器ブロック14の所要コンセントやコネクタなどに接続し、電源を充電したり、データをサーバコンピュータに供給したり、そこから取込むなどの作業を行う。
【００２４】
所要作業などが終れば、各ワゴンWhは院内の所要の部署や病室などに向けて回診などに向う（図12参照）。このようにして回診等が終れば、また配線コア体Cwのある部屋に戻り、各看護師が夫々のワゴンWhを図11の状態にして回診等によって得たデータなどを、夫々のパソコンやPDAなどを接続器ブロック14や15の所要コネクタなどに接続して、サーバコンピュータにデータをインストールするなどの作業やその他の業務などを行う。本発明では、各ワゴンWhが配線コア体Cwの天板12(13)に突合せ状態で集合すると、その各天板23と配線コア体Cwの天板12(13)は、略同面であるから、全体の天板が、あたかも一つのナーステーブルの広い天板のような態様になり、従って、拡張された天板を従来のナーステーブルのようにも利用できる。
【００２５】
また、各ワゴンWhが集合したとき、それらは、前後幅（図の上下方向）が小さい天板12を挟んで対向して配置されるので、各ワゴンWhと配線コア体Cwの全体が占める平面投影面積は、従来の大形ナーステーブルの周囲に各ワゴンWhが並んで当接した状態に、比べ大幅に小さくなり、従って、きわめてスペース効率が高いターミナル設備を形成することができる。
【００２６】
そして、各ワゴンWhに載せたパソコンやPDAなどの充電やデータのやり取りは、天板に設けた接続器ブロック14，15によって複数台のパソコンを集約的に整然と接続できるので、これらの配線が散乱して、他の作業や業務が行い難くなることはない。
【００２７】
本発明において、配線コア体Cwが、図１に例示したように、ワゴンWhの天板23と略同高の天板12，13を有しない場合には、各ワゴンWhは配線コア体Cwのダクト部材１に直に当接して集合させることになる。この場合において、配線コア体Cwにおけるダクト部材１の上面をワゴンWhの天板23と同高に形成するか否かは、任意である。
【産業上の利用可能性】
【００２８】
本発明は以上の通りであって、通信情報用と電源用の各配線を取出し可能に収納でき自立可能に形成した所要高さを有する配線コア体と、パソコン等の載置天板を備えて前記通信情報線や電源線に接続されるノート型パソコン等が載置され、前記配線コア体に接近乃至当接させて集合すると共に、個々に離散して移動できる複数台の回診用ワゴンとから回診用ワゴンのターミナル設備としたので、複数台のワゴンを配線コア体に整然と接近乃至当接させてその状態をいわばナーステーブルに形成することができると共に、各ワゴンに載せられたパソコンや各人が携帯しているPDAなどの電子機器用の電源ラインや情報ラインを、コンセントやターミナルなどに各ラインを混乱させることなく整然と接続することを可能とし、更には、筆記業務や引継ぎ業務などを行うスペースも確保でき、従って、カルテ等の電子化が進む病院用設備としてきわめて有用である。
【図面の簡単な説明】
【００２９】
【図１】本発明ワゴンターミナル設備における配線コア体の一例の平面図。
【図２】図１の配線コア体の正面図。
【図３】図１，図２の配線コア体の側面図。
【図４】本発明における配線コア体の別例の平面図。
【図５】図４の配線コア体の正面図。
【図６】本発明における配線コア体の他の例の平面図。
【図７】図６の配線コア体の正面図。
【図８】本発明における回診用ワゴンの一例の側面図。
【図９】図８のワゴンの平面図。
【図１０】図８，図９のワゴンの断面図。
【図１１】図６，図７の配線コア体に図８〜図10の回診用ワゴンが４台集合した状態の概略図を示す本発明ワゴンターミナル設備の一例の平面図。
【図１２】図11の状態における３台のワゴンが配線コア体から離れて行く状態の概略を示す平面図。
【符号の説明】
【００３０】
１        ダクト部材
２、３    脚部材
４        カバー
５        係止用溝
６，７    第二脚部材
6a，7a    取付ブラケット
８        天板
8a，8b    受座
９，10    蓋材
11        スリット
12，13    天板
12a，13a  支持ブラケット
14，15    接続器ブロック
16        天板
【図１】
2006115919.tif 000003
【図２】
2006115919.tif 000004
【図３】
2006115919.tif 000005
【図４】
2006115919.tif 000006
【図５】
2006115919.tif 000007
【図６】
2006115919.tif 000008
【図７】
2006115919.tif 000009
【図８】
2006115919.tif 000010
【図９】
2006115919.tif 000011
【図１０】
2006115919.tif 000012
【図１１】
2006115919.tif 000013
【図１２】
2006115919.tif 000014